(57)【要約】【課題】  断熱パネルの接続部分の防水性を確保するためにゴンドラや足場での作業をなくして安全で容易に断熱パネルを施工することができる断熱パネルの接続構造を提供する。【解決手段】  二枚の金属外皮１、２の間に断熱材３を充填して形成される断熱パネルＡの接続構造に関する。断熱パネルＡの側端部に目地片４を側方に突出させる。隣接する断熱パネルＡ、Ａをその目地片４を対向させて配設すると共に対向する目地片４、４により目地５を形成する。目地５内に防水部材６を設けると共に目地５に防水部材６よりも屋外側空間に連通する開口部を設ける。目地５より屋内側に樋部材７を配設すると共に目地片４と樋部材７との間に気密部材８を設ける。防水部材６と樋部材７の間を屋外側空間の気圧と等しい等圧空間９として形成する。【選択図】  図１
2006188897.tif 000002
【特許請求の範囲】
【請求項１】
二枚の金属外皮の間に断熱材を充填して形成される断熱パネルの接続構造において、断熱パネルの側端部に目地片を側方に突出させ、隣接する断熱パネルをその目地片を対向させて配設すると共に対向する目地片により目地を形成し、目地内に防水部材を設けると共に目地に防水部材よりも屋外側空間に連通する開口部を設け、目地より屋内側に樋部材を配設すると共に目地片と樋部材との間に気密部材を設け、防水部材と樋部材の間を屋外側空間の気圧と等しい等圧空間として形成して成ることを特徴とする断熱パネルの接続構造。
【請求項２】
気密部材にスリットを形成し、目地片をスリットに差し込むことにより断熱パネルの目地片に気密部材を取り付けて成ることを特徴とする請求項１に記載の断熱パネルの接続構造。
【請求項３】
防水部材に被差し込み凹部を形成し、目地片を被差し込み凹部に差し込むことにより断熱パネルの目地片に防水部材を取り付けて成ることを特徴とする請求項１又は２に記載の断熱パネルの接続構造。
【発明の詳細な説明】
【技術分野】
【０００１】
本発明は、建物の外壁などの壁を断熱パネルで形成する際に用いられる断熱パネルの接続構造に関するものであり、特に、高層ビルや足場を組めない場所など、屋外側から外壁の施工が行ないにくい施工現場で好適に用いるものである。
【背景技術】
【０００２】
従来より、二枚の金属外皮の間に断熱材を充填して断熱パネルを形成し、複数枚の断熱パネルを縦横に並設することにより外壁を形成することが行なわれている（例えば、特許文献１参照）。このような断熱パネルの両方の側端部には断面略Ｌ字状の目地片が突設されており、複数枚の断熱パネルを横方向に並設すると、隣り合う断熱パネルの目地片の間が縦方向の目地として形成されるものである。また、この目地には隣り合う断熱パネルの接続部分（目地部分）における防水性を確保するために、コーキング剤が目地の全長に亘って充填されている。
【特許文献１】特開２０００−９６８０６号公報
【発明の開示】
【発明が解決しようとする課題】
【０００３】
しかし、上記のようにコーキング剤により隣り合う断熱パネルの接続部分における防水性を確保する場合、コーキング剤を目地に完全に隙間なく充填しなければならず、このために、コーキング剤は建物の屋外側となる場所から目地に充填する作業が必要となる。従って、高層ビルではゴンドラを使用して、また低層ビルであっても足場を組んで作業しなければならず、いずれの場合でも高所における作業であって危険を伴うものであり、また、隣り合う建物の間に狭小スペースしか確保できない場合では、作業が行ないにくいという問題があった。しかも、コーキング剤を目地に完全に隙間なく充填することは難しく、さらには、経年劣化によりコーキング剤に亀裂や破損が生じることもあるために、隣り合う断熱パネルの接続部分の防水性が損なわれるという問題があった。
【０００４】
本発明は上記の点に鑑みてなされたものであり、断熱パネルの接続部分の防水性を確保するためにゴンドラや足場での作業をなくして安全で容易に断熱パネルを施工することができる断熱パネルの接続構造を提供することを目的とするものである。
【課題を解決するための手段】
【０００５】
本発明の断熱パネルの接続構造は、二枚の金属外皮１、２の間に断熱材３を充填して形成される断熱パネルＡの接続構造において、断熱パネルＡの側端部に目地片４を側方に突出させ、隣接する断熱パネルＡ、Ａをその目地片４を対向させて配設すると共に対向する目地片４、４により目地５を形成し、目地５内に防水部材６を設けると共に目地５に防水部材６よりも屋外側空間に連通する開口部１０を設け、目地５より屋内側に樋部材７を配設すると共に目地片４と樋部材７との間に気密部材８を設け、防水部材６と樋部材７の間を屋外側空間の気圧と等しい等圧空間９として形成して成ることを特徴とするものである。
【０００６】
本発明にあっては、気密部材８にスリット１２を形成し、目地片４をスリット１２に差し込むことにより断熱パネルＡの目地片４に気密部材８を取り付けることができる。
【０００７】
また、本発明にあっては、防水部材６に被差し込み凹部１３を形成し、目地片４を被差し込み凹部１３を差し込むことにより断熱パネルＡの目地片４に防水部材６を取り付けることができる。
【発明の効果】
【０００８】
本発明にあっては、防水部材６と樋部材７の間を防水部材６よりも屋外側空間の気圧と等しい等圧空間９として形成するので、防水部材６の屋外側空間と屋内側空間との間で気圧差が生じないようにすることができ、当該気圧差に起因して雨水が目地５内を屋内側に進入するのを防止することができるものである。従って、防水部材６と目地片４との間に多少隙間があったり、経年劣化により防水部材６に亀裂や破損が生じることがあっても、等圧空間９により上記気圧差が生じないために断熱パネルＡ、Ａの接続部分の防水性を低下しにくくすることができるものであり、この結果、従来のようにコーキング剤を屋外側から目地に隙間なく完全に充填する作業が必要が無くなって、断熱パネルの接続部分の防水性を確保するためにゴンドラや足場での作業をなくして屋内側から安全で容易に断熱パネルを施工することができるものである。
【０００９】
また、気密部材８に形成したスリット１２に目地片４を差し込んで断熱パネルＡの目地片４に気密部材８を取り付けることにより、気密部材８を断熱パネルＡの目地片４に位置決めして保持した状態で断熱パネルＡを施工することができ、断熱パネルＡの施工をより容易に行うことができるものである。
【００１０】
また、防水部材６に形成した被差し込み凹部１３に目地片４を差し込んで断熱パネルＡの目地片４に防水部材６を取り付けることにより、防水部材６を断熱パネルＡの目地片４に位置決めして保持した状態で断熱パネルＡを施工することができ、断熱パネルＡの施工をより容易に行うことができるものである。
【発明を実施するための最良の形態】
【００１１】
以下、本発明を実施するための最良の形態を説明する。
【００１２】
本発明で用いる断熱パネルＡは、二枚の金属外皮１、２の間に断熱材３を充填して形成されるものである。金属外皮１、２は一方が断熱パネルＡの表面側（屋外側）を、他方が断熱パネルＡの裏面側（屋内側）を構成するものであり、例えば、塗装鋼板、亜鉛めっき鋼板、アルミニウム−亜鉛合金めっき鋼板、ステンレス鋼板、チタン板などの金属板で厚み０．２〜１ｍｍのものを用いることができるが、これらに限定されるものではない。また、断熱材３としては、例えば、フェノールフォームやウレタンフォームなどの樹脂発泡体やグラスウールやロックウールなどの無機繊維体などで、密度２０〜２００ｋｇ／ｍ３のものを用いることができるが、これらに限定されるものではない。
【００１３】
図２（ａ）〜（ｃ）に示すように、表面側の金属外皮１は、金属外皮１の中央部の略全体を構成する平面部１ａと、金属外皮１の上端部に位置する折り返し部２０と、金属外皮１の下端部に位置する被覆部２３と、金属外皮１の両側端部に位置する目地片４などを備えて形成されている。
【００１４】
折り返し部２０は断面略逆Ｕ字状で、金属外皮１の横方向（水平方向）の略全長に亘って設けられており、金属外皮１の裏面側に折り返し屈曲されて断面略逆Ｕ字状に形成されている。折り返し部２０の端部には凹部底面片２１が設けられている。凹部底面片２１は折り返し部２０の横方向の略全長に亘って外方（平面部１ａと反対側）に向かって突設されている。また、凹部底面片２１の先端には差し込み片２２が設けられている。差し込み片２２は凹部底面片２１の横方向の略全長に亘って下方に向かって突設されている。
【００１５】
被覆部２３は金属外皮１の横方向の略全長に亘って設けられており、金属外皮１の裏面側に折り返し屈曲されて断面略逆Ｕ字状に形成されている。被覆部２３の端部には傾斜片２４が設けられている。傾斜片２４は被覆部２３の横方向の略全長に亘って斜め外方（平面部分１ａと反対側）に向かって上り傾斜して形成されている。また、傾斜片２４の先端には凹曲部２５が設けられている。凹曲部２５は断面略逆Ｌ字状に形成されており、傾斜片２４の横方向の略全長に亘って上方に突出するように設けられている。また、凹曲片２５の先端には断面略Ｌ字状の凸部覆い片２６が突設されている。凸部覆い片２６は凹曲片２５の横方向の略全長に亘って下方に向かって突設されている。また、凸部覆い片２６の先端には差し込み片２７が設けられている。差し込み片２７は凸部覆い片２６の横方向の略全長に亘って上方に向かって突設されている。
【００１６】
目地片４は箱折加工などにより形成されるものであって、金属外皮１の折り返し部２０の基部から被覆部２３の下端に至るまで、すなわち、金属外皮１の上端部を除く縦方向（鉛直方向）の略全長に亘って形成されている。また、目地片４は、平面部１ａと略面一に延設される延設部３２と、延設部３２の先端から金属外皮１の裏面側に略垂直に屈曲形成される挟持片３３と、挟持片３３の先端から外方に向かって平面部１ａと略平行に突設された支持片３４とを備えて断面略Ｚ字状に形成されている。
【００１７】
平面部１ａと折り返し部２０の基部との間には第一凹段部３５と第二凹段部３６が形成されている。第一凹段部３５と第二凹段部３６は金属外皮１の上部の横方向の全長に亘って形成されており、第一凹段部３５及び第二凹段部３６のいずれもが両側端部の目地片４、４の表面にまで形成されている。
【００１８】
図２（ｄ）で示すように、裏面側の金属外皮２は、金属外皮２の中央部の略全体を構成する平面部２ａと、金属外皮２の上端部に位置する折り返し部８７と、金属外皮２の下端部に位置する凸部覆い片３０などを備えて形成されている。
【００１９】
折り返し部８７は断面略逆Ｕ字状で、金属外皮２の横方向（水平方向）の略全長に亘って設けられており、金属外皮２の裏面側に折り返し屈曲されて断面略逆Ｕ字状に形成されている。折り返し部８７の端部には凹部底面片２８が設けられている。凹部底面片２８は折り返し部８７の横方向の略全長に亘って外方（平面部２ａと反対側）に向かって突設されている。また、凹部底面片２８の先端には差し込み片２９が設けられている。差し込み片２９は凹部底面片２８の横方向の略全長に亘って下方に向かって突設されている。
【００２０】
凸部覆い片３０は金属外皮２の横方向の略全長に亘って突設されており、断面略Ｌ字状で平面部２ａの下端から下方に向かって突出するように形成されている。また、凸部覆い片３０の先端には差し込み片３１が設けられている。差し込み片３１は凸部覆い片３０の横方向の略全長に亘って上方に向かって突設されている。さらに、裏面側の金属外皮２の平面部２ａと凸部覆い片３０に境界部分には横方向の全長に亘って下部凹段部４０が形成されている。
【００２１】
そして、図３、４及び図５（ａ）（ｂ）に示すように、金属外皮１、２をその裏面同士が対向するようにして配置すると共に金属外皮１、２の間に断熱材３と炭酸カルシウム等で形成される耐火材３７、３９とを介装して充填し、金属外皮１、２に断熱材３及び耐火材３７、３９を接着するなどして一体化することにより、本発明で使用する断熱パネルＡを形成することができる。
【００２２】
ここで、断熱材３は金属外皮１、２の平面部１ａ、２ａの間の略全体に亘って充填される。また、耐火材３７、３９は断熱材３の上側と下側において断熱パネルＡの上部と下部に充填されている。上側の耐火材３７は第二凹段部３６の上側において金属外皮１、２の間に配置されている。従って、金属外皮１、２の折り返し部２０、８７の内側の空間及び金属外皮１、２の第二凹段部３６よりも上側部分の空間に上側の耐火材３７が充填されており、また、差し込み片２２、２９が上側の耐火材３７に差し込まれ、さらに上側の耐火材３７の上面は凹部底面片２１、２８で覆われている。そして、対向配置された折り返し部２０と折り返し部８７の間の空間が凹部底面片２１、２８を底面とする嵌合凹部３８として形成されるものである。この嵌合凹部３８の底面にはパッキン７６が全長に亘って設けられている。
【００２３】
また、下側の耐火材３９は下部凹段部４０の下側において金属外皮１、２の間に配置されている。従って、金属外皮１の被覆部２３の内側の空間及び金属外皮１、２の下部凹段部４０よりも下側部分の空間に下側の耐火材３９が充填されており、また、差し込み片２７、３１が下側の耐火材３９に差し込まれ、さらに下側の耐火材３９の表裏面及び下面は凸部覆い片２６、３０で覆われている。そして、対向配置された凸部覆い片２６と凸部覆い片３０及びその間に充填された下側の耐火材３９により嵌合凸部４１が形成されるものである。また、目地片４は断熱材３や耐火材３７、３９よりも外側方に向かって突出するものである。
【００２４】
本発明で用いる防水部材（ガスケット）６は、エチレンプロピレンゴム（ＥＰＤＭ）やスチレンブタジエンゴム（ＳＢＲ）などのゴム弾性体等の成形品で長尺なものであって、図６に示すように、平板状の第一防水片４２と、第一防水片４２の基部側端部に後方に向かって略垂直に突設されて固定片４３と、固定片４３の後端に設けた断面略コ字状の取付部４４と、取付部４４に第一防水片４２と略平行になるように突設した第二防水片４５とを設けて形成されている。そして、断面略コ字状の取付部４４の内側空間が差し込み凹部１３として形成されている。尚、本発明では図６に示すもの及びこれと鏡面対象のものとを使用する。
【００２５】
本発明で用いる樋部材７は、金属外皮１、２と同様の金属材料で形成されるものであって、図７に示すように、連結片７ａとその両端に突設された一対の側片７ｂ、７ｂとにより、前面が開口する断面略コ字状で断熱パネルＡと縦方向の寸法と同程度の長尺に形成されている。
【００２６】
本発明で用いる気密部材（パッキン）８は防水部材６と同様のゴム弾性体等の成形品であって、上部気密部材４６と側部気密部材４７とで構成されている。
【００２７】
上部気密部材４６は、図８〜１０に示すように、下部閉塞部４８と、下部閉塞部４８の上面に形成された中間閉塞部４９と、中間閉塞部４９の上面に形成された上部閉塞部５０とから構成されている。下部閉塞部４８は、基部気密部５１に外側気密部５２と内側気密部５３とを前側に突出するように一体に形成したものであって、外側気密部５２と内側気密部５３の間にはスリット１２が設けられている。また、外側気密部５２の上面は前方に向かって下り傾斜する傾斜面７９として形成されている。中間閉塞部４９は平面視で略Ｌ字状であって、基部気密部５２の上面と外側気密部５３の上面とに亘って形成されている。上部閉塞部５０は平面視で略Ｌ字状であって、中間閉塞部４９の上面に形成されている。また、上部閉塞部５０の上部は前方に突出する断面略くさび状の第一係止部５４として形成されており、第一係止部５４の上面は前方に向かって下り傾斜する傾斜面５５として形成されている。また、上部閉塞部５０の前端上部は前方に突出する第二係止部５６として形成されている。
【００２８】
側部気密部材４７は、図１１に示すように、縦方向に長尺な角棒状に形成されている。
【００２９】
そして、本発明の断熱パネルＡ、Ａの接続構造は次のようにして形成することができる。まず、図１２に示すように、断熱パネルＡの両側の目地片４の上端角部を切除して角部切欠部５７を形成すると共に両側の目地片４の第二凹段部３６の一部及びその直下部分の支持片３４を切除して支持片切欠部５８を形成する。
【００３０】
次に、断熱パネルＡの両側部に気密パッキン８を縦方向の略全長に亘って取り付ける。気密パッキン８のうち側部気密部材４７は支持片切欠部５８の直下から目地片４の下端に至るまでに配設されており、図１３に示すように、目地片４の挟持片３３と断熱パネル４の側端部に露出した断熱部材３及び下側の耐火材３９との間に差し込んで保持されることにより、挟持片３３の裏面（断熱部材３側の面）と延設片３２の裏面（屋内側の面）と断熱部材３及び下側の耐火材３９の露出面とに弾性的に密着して取り付けられている。
【００３１】
気密部材８のうち上部気密部材４６は側部気密部材４７よりも上側において断熱パネルＡの両側端部に取り付けられる。すなわち、断熱パネルＡの目地片４に裏面側（屋内側）から上部気密部材４６を近づけて、第二係止部５６を目地片４の延設片３２の上端に係止すると共に第一係止部５４を目地片４の挟持片３３の上端と支持片３４の上端とに亘って係止し、支持片切欠部５８の部分において挟持片３３を上部気密部材４６のスリット１２に差し込むことにより、内側気密部５３を挟持片３３と断熱パネル４の側端部に露出した断熱部材３及び耐火材３７との間に差し込むと共に外側気密部５２を支持片切欠部５８に通して配置する。ここで、断熱パネルＡの一方の側端部に取り付けられる上部気密部材４６と他方の側端部に取り付けられる上部気密部材４６とは鏡面対象に形成されたのものである。このようにして図１２に示すように、目地片４に上部気密部材４６を取り付けることによって、内側気密部５３の前面を延設片３２の裏面に弾性的に密着させる。また、内側気密部５３の上面と基部気密部５１の上面とを目地片４における第二凹段部３６の裏面（下面）に弾性的に密着させる。また、中間閉塞部４９の前面を第一凹段部３５と第二凹段部３６との間において延設片３２の裏面と挟持片３３の裏面と支持片３４の裏面に弾性的に密着させると共に中間閉塞部４９の上面を第一凹段部３５の裏面（下面）に弾性的に密着させる。さらに、上部閉塞部５０の前面を第一凹段部３５の上側において延設片３２の裏面と挟持片３３の裏面と支持片３４の裏面に弾性的に密着させる。
【００３２】
次に、断熱パネルＡの両側部に防水部材６を縦方向の略全長に亘って取り付ける。すなわち、防水部材６の取付部４４の差し込み凹部１３を目地片４の支持片３４に被挿すると共に防水部材６の固定片４３を挟持片３３の表面に密着し、固定片４３の表面から挟持片３３にまでビス等の固定具５９を打ち込む。このようにして複数個の固定具５９で防水部材６を第二凹段部３６から目地片４の下端に至るまで取り付ける。尚、上部気密部材４６の部分では固定片４３と取付部４４及び第二防水片４５を切除して第一防水片４２が外側気密部５２の前側（屋外側）に位置するようにする。
【００３３】
また、表面側の金属外皮１の折り返し部２０の側端部には、雨水の流れ込み防止用のパッキン６２を取り付ける。このパッキン６２は折り返し部２０の上面を覆うように断面略Ｕ字状に形成されていると共にパッキン６２の下部には第一凹段部３５の前後方向の寸法とほぼ同じ厚みの膨出部６３が突設されている。
【００３４】
また、嵌合凹部３８よりも下側で第一凹段部３５よりも上側の位置において、断熱パネルＡにその厚み方向（前後方向）で貫通する挿入孔を設け、この挿入孔にボルトなどの固定具６５を挿入する。この時、固定具６５は表面側の金属外皮１の方から差し込んで、固定具６５の頭部が金属外皮１の表面（屋外側）に位置し、固定具６５の先端部が裏面側の金属外皮２の後方に突出するようにする。
【００３５】
次に、断熱パネルＡの一方の側端部に樋部材７を取り付ける。この場合、樋部材７の一方の側片７ｂを目地片４の挟持片３３と断熱部材３及び耐火材３７、３９との間に挿入し、その側片７ｂの前端を断熱パネルＡに取り付けた側部気密部材４７の後面（屋内側の面）に密着させると共にその側片７ｂの上部内側面と連結片７ａの上部前面とを断熱パネルＡに取り付けた上部気密部材４６の外側面（断熱部材３側の面）と上部気密部材４６の後面（屋内側の面）に密着させる。この後、断熱パネルＡの裏面と樋部材７の裏面とに亘ってバックアップ材６０を配置し、バックアップ材６０の取着片６０ａを断熱パネルＡの裏面の側端部にビス等の固定具で固定すると共にバックアップ材６０の本体部６０ｂを樋部材７の連結片７ａの裏面にビス等の固定具で固定することによって、断熱パネルＡの一方の側端部の略全長に亘って樋部材７をバックアップ材６０により取り付ける。バックアップ材６０は断面略コ字状の本体部６０ｂとその両端に突設される取着片６０ａとで断面略ハット状に形成されており、本体部６０ｂの内側空間にはセラミックファイバーなどの耐火材６０ｃが充填されている。
【００３６】
この後、クレーン等を用いることにより、防水部材６、樋部材７、気密部材８を取り付けた断熱パネルＡを建物の柱等の構造材６６の屋外側に吊り上げて所望の取り付け位置に配置する。この時、断熱パネルＡは嵌合凹部３８を上向きに、嵌合凸部４１を下向きにして配置される。図１４に示すように、上記の構造材６６の両側面には断面略Ｌ字状の固定金具６７が設けられており、固定金具６７の固定片６８が構造材６６の側面に突出している。また、固定片６８には厚み方向（前後方向）に貫通する固定孔６９が設けられている。次に、吊り上げた断熱パネルＡを建物の構造材６６の屋内側からロープ等により引き寄せ、構造材６６の屋外側面にバックアップ材６０を介して樋部材７の連結片７ａを位置させる。次に、この断熱パネルＡに挿着しておいた固定具６５の後端を固定孔６９に屋外側から差し込むと共に固定片６８の屋内側に突出した固定具６５の先端にナット等の螺合具７０を螺合する。このようにして一枚の断熱パネルＡを構造材６６の屋外側に取り付ける。
【００３７】
次に、上記のようにして取り付けた断熱パネルＡの横に別の断熱パネルＡを配置して両断熱パネルＡ、Ａを接続する場合について説明する。まず、構造材６６に取り付けた断熱パネルＡとは別の断熱パネルＡを構造材６６の屋外側に吊り上げて、図１５に示すように、構造材６６に取り付けた上記の断熱パネルＡの側方に配置する。この時、この別の断熱パネルＡにも上記と同様にして防水部材６、樋部材７、気密部材８、固定具６５などが取り付けられている。また、構造材６６に取り付けた断熱パネルＡの樋部材７を設けた方の側端部に、別の断熱パネルＡの樋部材７を設けていない方の側端部を近づけるようにする。次に、吊り上げた上記断熱パネルＡを構造材６６の屋内側から引き寄せる。このようにすると、構造材６６の屋外側に配置した樋部材７の断熱パネルＡに取り付けられていない方の側片７ｂを、引き寄せた別の断熱パネルＡの目地片４の挟持片３３と断熱部材３及び耐火材３７、３９との間に挿入し、その側片７ｂの前端を引き寄せた別の断熱パネルＡの側部気密部材４７の後面（屋内側の面）に密着させると共にその側片７ｂの上部内側面と連結片７ａの上部前面とを別の断熱パネルＡの上部気密部材４６の外側面（断熱部材３側の面）と上部気密部材４６の後面（屋内側の面）に密着させる。次に、この別の断熱パネルＡに挿着しておいた固定具６５の後端を上記とは別のもう一方の固定金具６７の固定片６８の固定孔６９に屋外側から差し込むと共に固定片６８の屋内側に突出した固定具６５の後端にナット等の螺合具７０を螺合する。こうして図１に示すように、もう一枚の断熱パネルＡを構造材６６の屋外側に取り付ける。
【００３８】
上記のように横方向に隣接させた断熱パネルＡ、Ａでは、目地片４の挟持片３３、３３同士が横方向に対向配置されるものであり、これにより、挟持片３３、３３の間で支持片３４、３４よりも前側（屋外側）の空間が目地５として形成されるものである。また、断熱パネルＡ、Ａに設けた防水部材６、６は目地５内に配設されるが、各防水部材６、６の第一防水片４２、４２の先端同士が目地５内において前後方向（屋内外方向）に重なり合うと共に、各防水部材６、６の第二防水片４５、４５の先端同士が支持片３４の後側で前後方向に重なり合うようにして配置される。この時、第一防水片４２、４２は第二防水片４５、４５よりも前側に配置される。また、図１６に示すように、横方向に隣接させた断熱パネルＡ、Ａに設けた上部気密部材４６、４６の外側気密部５２、５２同士が樋部材７内で横方向に隣接して密着することになる。尚、図１６においては、第一防水片４２は図示省略している。
【００３９】
次に、構造材６６に取り付けた断熱パネルＡの上に別の断熱パネルＡを配置して両断熱パネルＡ、Ａを接続する場合について説明する。まず、構造材６６に取り付けた断熱パネルＡとは別の断熱パネルＡを構造材６６の屋外側に吊り上げて、構造材６６に取り付けた上記の断熱パネルＡの上方に配置する。この時、この別の断熱パネルＡにも上記と同様にして防水部材６、樋部材７、気密部材８、固定具６５などが取り付けられている。次に、吊り上げた断熱パネルＡを徐々に下ろしながら構造材６６の屋内側からロープ等により引き寄せ、構造材６６に取り付けた断熱パネルＡの嵌合凹部３８に、吊り上げた断熱パネルＡの下端の嵌合凸部４１を上側から嵌合する。この時、上側の断熱パネルＡの被覆部２３が下側の断熱パネルＡの第一凹段部３５よりも上側部分の屋外側を覆うことになり、これにより、下側の断熱パネルＡを構造材６６に固定する固定具６５を上側の断熱パネルＡの被覆部２３で覆い隠すことができる。また、上側の断熱パネルＡの被覆部２３の下端と、下側の断熱パネルＡの第二凹段部３６との間には間隙が形成されて横目地７１となる。次に、上側に配置した別の断熱パネルＡを上記と同様にして構造材６６に取り付ける。すなわち、構造材６６の屋外側面にバックアップ材６０を介して断熱パネルＡに設けた樋部材７の連結片７ａを位置させ、断熱パネルＡに挿着しておいた固定具６５の後端を固定孔６９に屋外側から差し込むと共に固定片６８の屋内側に突出した固定具６５の後端にナット等の螺合具７０を螺合する。また、上下に隣接する樋部材７、７の端部同士を隙間なく接続する。このようにして図１７に示すように、縦方向に隣接して断熱パネルＡ、Ａを接続して取り付けることができる。
【００４０】
上記のようにして複数枚の断熱パネルＡ、Ａ…を横方向及び縦方向に並べて接続していくことにより、建物の壁（外壁）を形成することができるが、この壁には縦方向に長い目地５と横目地７１とが交差するように形成され、また、図１８に示すように、この交差部分において上側の断熱パネルＡに取り付けた防水部材６の第一防水片４２の下端と、下側の断熱パネルＡに取り付けた防水部材６の第一防水片４２の上端との間に隙間ができて開口部（通気孔）１０が形成されることになる。すなわち、開口部１０は縦方向においては第一凹段部３５と第二凹段部３６の間に形成され、横方向においては支持片３４の屋外側に形成されるものである。また、防水部材６の第一防水片４２よりも屋内側の目地５内の空間及び樋部材７の連結片７ａよりも屋外側の空間は、気密部材８により樋部材７よりも屋内側の空間に対して密閉されて通気性がないように形成されている。従って、開口部１０とそれよりも上側の上部気密部材４６との間において、防水部材６の第一防水片４２よりも屋内側の目地５内の空間及び樋部材７の連結片７ａよりも屋外側の空間は、上記開口部１０により防水部材６の第一防水片４２よりも屋外側の空間に開放され、図１９に示すように、開口部１０を通じて目地５内に外気が導入されるものであり、これにより、第一防水片４２よりも屋外側の空間の気圧と等しい等圧空間９として形成することができる。そして、等圧空間９により、防水部材６の第一防水片４２の屋外側の空間と屋内側の空間との間で気圧差が生じないようにすることができ、気圧差に起因して雨水が目地５内を屋内側に進入するのを防止することができるものである。また、上記のように断熱パネルＡを構造材６６に屋内側から取り付けることができ、足場での作業をなくして安全で容易に断熱パネルを施工することができるものである。
【００４１】
雨水が目地５を屋内側に向かって移動させるエネルギーとしては、重力、表面張力、毛細管現象、運動エネルギー、気流及び気圧差の６つがある。
【００４２】
目地５に屋内側に向かって下り傾斜する経路があると、重力のエネルギーにより雨水が屋内側に進入しやすくなるが、本発明では上部気密部材４６の外側気密部５２の上面を屋外側に向かって傾斜する傾斜面７９として形成しているので、開口部１０から目地５内に進入した雨水が自重により屋内側に向かって移動するのを防止することができる。
【００４３】
また、雨水が断熱パネルＡの金属外皮１に付着すると、雨水の表面張力により雨水が金属外皮１の表面を伝わって目地５に進入しやすくなるが、本発明では目地５内に防水部材６を設けると共に上部気密部材４６の外側気密部５２の上面を屋外側に向かって傾斜する傾斜面７９として形成しているので、雨水が目地５内に進入しにくく、また、進入したとしても雨水が表面張力により屋内側に向かって移動するのを防止することができる。
【００４４】
また、目地５の幅寸法が狭いと毛細管現象が起こり、重力に逆らって目地５に雨水が進入する恐れがあるが、本発明では毛細管現象が生じない程度の幅寸法（例えば、２０ｍｍ）に目地５を形成しているので、雨水が目地５内に進入しにくく、また、進入したとしても雨水が表面張力により屋内側に向かって移動するのを防止することができる。
【００４５】
また、風速等によって雨水が断熱パネルＡの方に向かう運動エネルギーを持つと、雨水が目地５に進入する恐れがあるが、本発明では防水部材６の第一防水片４２と第二防水片４５により目地５に雨水が進入するのを防止することができる。
【００４６】
また、目地５が建物の屋内に通じていると、風を伴った降雨時に目地５を通る気流が生じ、ある流速以上の気流では雨水が横飛びして建物の屋内側に進入する恐れがあるが、本発明では気密部材８により目地５と建物の屋内側空間とが通じないように閉塞していると共に防水部材６の第一防水片４２と第二防水片４５を設けているので、目地５に雨水が進入するのを防止することができる。
【００４７】
また、目地５内に雨水が進入した場合、建物の屋内側の空間と屋外側の空間に気圧差が生じると、圧力により雨水が屋内側に移動するが、本発明では開口部１０を設け、ここから目地５内及び樋部材７の屋外側空間に外気を自然に導入して等圧空間９を形成しているので、目地５から屋内側に雨水が進入するのを防止することができる。
【００４８】
そして、本発明では、樋部材７にまで雨水が到達しても、その雨水を上部気密部材４６の傾斜面５５、７９に沿って屋外側へと流すことができ、目地５及び開口部１０を通じて壁の屋外に排水することができるものである。
【００４９】
尚、本発明においては、等圧空間９と防水部材６よりも屋外側の空間とが５０Ｐａ（５ｋｇｆ／ｍ２）以下の圧力差であれば等圧とみなすことができ、これ以上の圧力差が生じないように、建物の高さ、最大風圧、目地５の幅寸法、嵌合凹部３８と嵌合凸部４１との嵌合深さなどに応じて、開口部１０の開口面積を設定することができる。
【００５０】
上記のように複数枚の断熱パネルＡ、Ａ…を用いて壁を形成する場合、一部の断熱パネルＡをサッシＢに置き換えて窓などを形成することがあるが、このような場合でも本発明の断熱パネルＡの接続構造を用いることができる。サッシＢは枠部７３とその内側にはめられた窓部材（図示省略）から構成されており、枠部７３の上端には上面が開口するサッシ嵌合凹部７４が横方向の全長に亘って形成されている。また、枠部７３の下面には嵌合突起７５が横方向の全長に亘って形成されていると共に嵌合突起７５よりも屋外側には嵌合突起７５より下方に突出するサッシ被覆部８６が枠部７３の下面の横方向の全長に亘って形成されている。さらに、枠部７３の両方の側面には断熱パネルＡの目地片４と同様の目地片４が縦方向の全長に亘って突設されている。
【００５１】
そして、このサッシＢには上記と同様の防水部材６、樋部材７、気密部材８を取り付けた状態で、上記断熱パネルＡと同様にして屋内側から施工されるものである。ここで、図２０に示すように、サッシＢは枠部７３の上部に装着したボルト等の固定具６５及びこれに螺合されるナット等の螺合具７０により胴縁等の構造材６６に取り付けられる。また、サッシＢとその上側の断熱パネルＡとは、サッシＢのサッシ嵌合凹部７４に断熱パネルＡの嵌合凸部４１を嵌合することにより接続されると共に、サッシＢとその下側の断熱パネルＡとは、サッシＢの嵌合突起７５を断熱パネルＡの嵌合凹部３８に嵌合することにより接続される。この時、サッシ嵌合凹部７４の底面と嵌合凸部４１の下面との間及び嵌合突起７５の下端と嵌合凹部３８の底面との間にはパッキン７６が設けられている。さらに、図２１に示すように、横方向に隣接させた断熱パネルＡとサッシＢでは、断熱パネルＡ、Ａを横方向に隣接させた場合と同様に目地５が形成されると共に防水部材６、６が目地５内に配置される。また、目地５内は開口部１０により開放されると共に、横方向に隣接させた断熱パネルＡとサッシＢに設けた上部気密部材４６、４６の外側気密部５２、５２同士が樋部材７内で横方向に隣接して密着するものであり、これにより、開口部１０とそれよりも上側の上部気密部材４６との間において、防水部材６の第一防水片４２よりも屋内側の目地５内の空間及び樋部材７の連結片７ａよりも屋外側の空間は、上記開口部１０により防水部材６の第一防水片４２よりも屋外側の空間に開放され、開口部１０を通じて目地５内に外気が導入されるものであり、これにより、第一防水片４２よりも屋外側の空間の気圧と等しい等圧空間９として形成することができる。この結果、防水部材６の第一防水片４２の屋外側の空間と屋内側の空間との間で気圧差が生じないようにすることができ、気圧差に起因して雨水が目地５内を屋内側に進入するのを防止することができるものである。
【００５２】
尚、上記では、断熱パネルＡが厚くて（５０ｍｍ程度）、樋部材７と構造材６６との間隔が広くなるためにハット状のバックアップ材６０を用いて断熱パネルＡと樋部材７とを連結しているが、断熱パネルＡが薄い場合（３５ｍｍ程度）などでは、樋部材７と構造材６６との間にほとんど隙間が開かない。そこで、この場合は、図２２に示すように、断熱パネルＡと樋部材７とを板状の固定板７７で連結することができる。
【図面の簡単な説明】
【００５３】
【図１】本発明の実施の形態の一例を示す断面図である。
【図２】同上の断熱パネルの金属外皮を示し、（ａ）（ｂ）（ｄ）は断面図、（ｃ）は平面図である。
【図３】同上の断熱パネルを示す断面図である。
【図４】同上の断熱パネルを示す斜視図である。
【図５】同上の断熱パネルを示し、（ａ）（ｂ）は一部の斜視図である。
【図６】同上の防水部材を示す一部の斜視図である。
【図７】同上の樋部材を示す一部の斜視図である。
【図８】同上の上部気密部材を示し、（ａ）（ｂ）は斜視図である。
【図９】同上の上部気密部材を示し、（ａ）は平面図、（ｂ）は正面図、（ｃ）は側面図である。
【図１０】同上の上部気密部材を示し、（ａ）は図９（ａ）におけるＡ−Ａ断面図、（ｂ）は図９（ａ）におけるＢ−Ｂ断面図、（ｃ）は図９（ａ）におけるＣ−Ｃ断面図、（ｄ）は図９（ａ）におけるＤ−Ｄ断面図である。
【図１１】同上の側部気密部材を示す一部の斜視図である。
【図１２】同上の断熱パネルに上部気密部材と樋部材とを取り付けた状態を示す斜視図である。
【図１３】同上の施工途中を示す断面図である。
【図１４】同上の施工途中を示す断面図である。
【図１５】同上の施工途中を示す断面図である。
【図１６】同上の横方向に並ぶ断熱パネルの接続状態を示す断面図である。
【図１７】同上の縦方向に並ぶ断熱パネルの接続状態を示す断面図である。
【図１８】同上の正面図である。
【図１９】同上の断面図である。
【図２０】同上のサッシを取り付けた状態を示す断面図である。
【図２１】同上のサッシを取り付けた状態を示す断面図である。
【図２２】同上の樋部材の他の取付方法を示す断面図である。
【符号の説明】
【００５４】
１  金属外皮
２  金属外皮
３  断熱材
４  目地片
５  目地
６  防水部材
７  樋部材
８  気密部材
９  等圧空間
１２  スリット
１３  被差し込み凹部
Ａ  断熱パネル
【図１】
2006188897.tif 000003
【図２】
2006188897.tif 000004
【図３】
2006188897.tif 000005
【図４】
2006188897.tif 000006
【図５】
2006188897.tif 000007
【図６】
2006188897.tif 000008
【図７】
2006188897.tif 000009
【図８】
2006188897.tif 000010
【図９】
2006188897.tif 000011
【図１０】
2006188897.tif 000012
【図１１】
2006188897.tif 000013
【図１２】
2006188897.tif 000014
【図１３】
2006188897.tif 000015
【図１４】
2006188897.tif 000016
【図１５】
2006188897.tif 000017
【図１６】
2006188897.tif 000018
【図１７】
2006188897.tif 000019
【図１８】
2006188897.tif 000020
【図１９】
2006188897.tif 000021
【図２０】
2006188897.tif 000022
【図２１】
2006188897.tif 000023
【図２２】
2006188897.tif 000024